(57)【特許請求の範囲】
【請求項１】
複数の接続要素と；
複数のセンサを着脱可能に装置に取り付けられるよう構成される複数のアタッチメント部分と；
少なくとも一つのデータプロセッサと；
コンピュータプログラム命令を含む少なくとも一つのメモリと；
を備える装置であって、
前記接続要素は、前記センサが前記アタッチメント部分に取り付けられる際に、前記センサと前記装置との間の無線通信リンクを形成するように構成され、
前記プログラム命令が、前記少なくとも一つのプロセッサに実行されると、前記装置に、
前記複数の接続要素それぞれを個別にアドレス指定して、前記装置に取り付けられた前記複数のセンサのそれぞれから、前記無線通信リンクを介して計測値を取得させるように構成される、装置。
【請求項２】
前記複数の接続要素は各々同一である、請求項１に記載の装置。
【請求項３】
前記複数の接続要素の少なくとも一つはアンテナを備える、請求項１または請求項２に記載の装置。
【請求項４】
前記複数のアタッチメント部分が、前記装置のユーザによる前記複数のセンサの取り外し及び取り替えを可能にするよう構成される、請求項１から請求項３のいずれかに記載の装置。
【請求項５】
前記センサと前記アンテナとの間の距離が、前記センサ及び前記アンテナの組み合わせそれぞれについて同一となるように、前記複数のアタッチメント部分が構成される、請求項３に記載の装置。
【請求項６】
前記複数のアタッチメント部分のそれぞれは、関連する前記センサを前記接続要素に極めて接近させて配置できるように構成される、請求項１から請求項５のいずれかに記載の装置。
【請求項７】
前記複数のアタッチメント部分のそれぞれは、前記センサの少なくともいずれかと前記接続要素の少なくともいずれかとを十分接近させて配置し、前記センサ及び前記接続要素の間の近距離結合を可能にするように構成される、請求項１から請求項５のいずれかに記載の装置。
【請求項８】
前記複数のアタッチメント部分が、センサの対応するアタッチメント部分と接続する手段を備える、請求項１から請求項７のいずれかに記載の装置。
【請求項９】
前記複数のアタッチメント部分が、前記センサの少なくともいずれかの接着部分を受け入れるよう構成される部分を備える、請求項１から請求項８のいずれかに記載の装置。
【請求項１０】
ユーザによって装着されるよう構成される、請求項１から請求項９のいずれかに記載の装置。
【請求項１１】
前記装置をユーザの身体の上に取り付けることを可能にするよう構成されるベルトを備える、請求項１から請求項１０のいずれかに記載の装置。
【請求項１２】
前記複数のセンサの第１のサブセットが、前記ベルトの第１の側面に設けられ、前記複数のセンサの第２のサブセットが、前記ベルトの第２の側面に設けられる、請求項１１に記載の装置。
【請求項１３】
前記装置が前記ユーザの体に取り付けられた場合、前記センサの第２のサブセットが前記ユーザの体の皮膚に隣接して配置されるよう構成される、請求項１２に記載の装置。
【請求項１４】
前記装置と他の装置との通信を可能にするよう構成される通信モジュールを備える、請求項１から請求項１３のいずれかに記載の装置。
【請求項１５】
請求項１に記載の装置に取り付けられるよう構成されるセンサ。
【請求項１６】
センサ部分と；
前記センサ部分に組み合わされる少なくとも一つの接続要素と；
を備えるセンサであって、
前記センサを着脱可能に装置に取り付けることを可能にし、前記接続要素による前記装置へのデータ送信を可能にするよう構成されるアタッチメント部分を更に備え、
前記センサ部分によるパラメータの検出が、前記接続要素の周波数応答を変化させ、
前記接続要素は、前記装置と前記センサとの間で少なくとも一つの無線通信リンクを形成するように構成され、
前記周波数応答の変化に応じて、前記装置に前記無線通信リンクを介してデータを送信するように構成される、
センサ。
【請求項１７】
前記センサ部分が、前記パラメータを検出し、前記検出されるパラメータの信号表示を前記接続要素へ提供するよう構成される、請求項１６に記載のセンサ。
【請求項１８】
前記接続要素はアンテナを備える、請求項１６または請求項１７に記載のセンサ。
【請求項１９】
少なくとも１つのセンサを着脱可能に装置に取り付けることを含む方法であって、
前記装置が、複数の接続要素と、前記少なくとも１つのセンサを前記装置に着脱可能に取り付けられるよう構成される複数のアタッチメント部分と、少なくとも１つのプロセッサと、コンピュータプログラム命令を含む少なくとも１つのメモリとを備え、
前記接続要素は、前記センサが前記アタッチメント部分に取り付けられる際に、前記センサと前記装置との間の無線通信リンクを形成するように構成され、
前記コンピュータプログラム命令は、前記少なくとも１つのプロセッサで実行されると、前記装置に、前記接続要素のアドレスを個別に指定して、前記装置に取り付けられた前記少なくとも１つのセンサから、前記無線通信リンクを介して計測値を取得させるように構成され、
前記少なくとも１つのセンサは、センサ部分と、前記センサ部分に接続される検出用アンテナと、前記センサを前記装置に着脱可能に取り付けられるよう構成されるアタッチメント部分とを備え、前記センサ部分によるパラメータの検出が、前記検出用アンテナの周波数応答を変化させ、前記検出用アンテナは、前記装置との間で少なくとも一つの無線通信リンクを形成するように構成される、
方法。
【請求項２０】
装置から第１のセンサを取り外すことと；
前記第１のセンサと第２のセンサとを取り替えることと；
を含む方法であって、
前記装置は、複数の接続アンテナと、少なくとも前記第１のセンサが前記装置に着脱可能に取り付けられるよう構成される複数のアタッチメント部分と、少なくとも１つのプロセッサと、コンピュータプログラム命令を含む少なくとも１つのメモリとを備え、
前記複数の接続要素のうちの一つは、前記センサの各々が前記アタッチメント部分に取り付けられる際に、該センサと前記装置との間の無線通信リンクを形成するように構成され、
前記コンピュータプログラム命令は、前記少なくとも１つのプロセッサに実行されると、前記装置に、前記接続アンテナの少なくともいずれかのアドレスを個別に指定して、前記装置に取り付けられた前記少なくとも１つのセンサから、前記無線通信リンクを介して計測値を取得できるように構成され、
前記センサは、センサ部分と、前記無線通信リンクを形成するように構成されるセンサ用接続要素と、前記センサを前記装置に着脱可能に取り付けられるよう構成されるアタッチメント部分とを備える、
方法。
【発明の詳細な説明】
【技術分野】
【０００１】
本発明の実施形態は、装置及びその装置へのアタッチメント用センサに関するものである。本発明の実施形態は、特に、装置及びその装置へのアタッチメント用センサに関するものであり、ユーザによる再配置が可能な複数のセンサを装置に取り付けることができるものである。
【背景】
【０００２】
ウェアラブルセンサのようなセンサは周知である。センサは、健康の監視、ユーザの活動の監視、ユーザの環境の監視、ユーザのコンテキストの監視、その他のあらゆる監視可能なパラメータの監視等のアプリケーション用に使用される。
【０００３】
ユーザが簡単かつ便利に使用できるシステムの一部となりうるセンサを提供することは有効である。
【摘要】
【０００４】
本明細書の様々な、しかし必ずしも全てではない例によると、本発明による装置は、複数の接続要素（coupling element）と、複数のセンサが装置に着脱可能に取り付けられるよう構成されている複数のアタッチメント部分と、少なくとも１つのプロセッサと、コンピュータプログラム命令を含む少なくとも１つのメモリとを含む。ここで、少なくとも１つのメモリ及びコンピュータプログラム命令は、少なくとも１つのプロセッサと共に、装置が複数の接続要素それぞれのアドレスを個別に指定して、装置に取り付けられた複数のセンサの各々から計測値を取得できるよう構成されている。
【０００５】
いくつかの例では、複数の接続要素のそれぞれが同一である場合がある。
【０００６】
いくつかの例では、接続要素はアンテナを備える場合がある。
【０００７】
いくつかの例では、複数のアタッチメント部分が、装置のユーザによる複数のセンサの取り外し及び交換を可能にするよう構成される場合がある。
【０００８】
いくつかの例では、センサとアンテナとの間の距離が、センサ及びアンテナの組み合わせそれぞれについて同一となるように、複数のアタッチメント部分が構成される場合がある。
【０００９】
いくつかの例では、複数の受け側のアタッチメント部分は、センサを接続要素に極めて接近させて配置できるように構成される場合がある。
【００１０】
いくつかの例では、複数のアタッチメント部分は、センサを接続要素に十分接近させて配置し、センサ及び接続要素の間の近距離結合（near field coupling）を可能にするように構成される場合がある。
【００１１】
いくつかの例では、複数のアタッチメント部分が、センサの対応するアタッチメント部分と接続する手段を備える場合がある。
【００１２】
いくつかの例では、複数のアタッチメント部分が、センサの接着部分と接続するよう構成される場合がある。
【００１３】
いくつかの例では、装置は、ユーザによる装着が可能なように構成することができる。
【００１４】
いくつかの例では、装置はベルトを備えることができ、そのベルトは装置をユーザの身体の上に取り付けることを可能にする。ベルトは装置を手首に取り付けられるように構成することができる。複数のアンテナの第１のサブセットは、ベルトの第１の側面に設けることができ、複数のアンテナの第２のサブセットは、ベルトの第２の側面に設けることができる。装置がユーザに取り付けられた場合、センサの第２のサブセットがユーザの皮膚に隣接して配置されるように、装置を構成することができる。
【００１５】
いくつかの例では、装置は通信モジュールを備える場合があり、その通信モジュールは装置とその他の装置との通信を可能にする。
【００１６】
本明細書の様々な、しかし必ずしも全てではない例によると、前述の通り、装置に取り付けられるよう構成されるセンサを提供することができる。
【００１７】
本明細書の様々な、しかし必ずしも全てではない例によると、本発明によるセンサは、センサ部分と、少なくとも１つの接続要素と、センサを装置に着脱可能に取り付け、接続要素による装置へのデータ送信を可能にするよう構成されるアタッチメント部分とを備える。
【００１８】
いくつかの例では、センサ部分が、パラメータを検出し、検出されたパラメータの信号表示を接続要素へ提供するよう構成される場合がある。
【００１９】
いくつかの例では、接続要素はアンテナを備える場合がある。
【００２０】
いくつかの例では、装置のユーザがその装置にセンサを着脱可能に取り付けできるよう、アタッチメント部分が構成される場合がある。
【００２１】
いくつかの例では、センサを装置の接続要素に極めて接近させて配置できるよう、アタッチメント部分が構成される場合がある。いくつかの例では、アタッチメント部分は接着部分を備えることができる。
【００２２】
いくつかの例では、センサ部分から取得したデータを符号化し、符号化したデータを接続要素へ提供するよう構成される集積回路を、センサがさらに備える場合がある。
【００２３】
いくつかの例において、センサは、ユーザがセンサを装置上に配置できるよう構成されるアライメント部分を備える場合がある。アライメント部分は視覚的な計器を備える場合がある。アライメント部分はセンサの外形を含む場合がある。
【００２４】
いくつかの例では、センサは検出されたパラメータの視覚的な表示情報を備える場合がある。
【００２５】
本明細書の様々な、しかし必ずしも全てではない例によると、本発明による方法は、複数のセンサを装置に着脱可能に取り付けることを含み、ここで、この装置は、複数の接続要素と、少なくとも１つのセンサをこの装置に着脱可能に取り付けられるよう構成される複数のアタッチメント部分と、少なくとも１つのプロセッサと、コンピュータプログラム命令を含む少なくとも１つのメモリとを含む。ここで、少なくとも１つのメモリ及びコンピュータプログラム命令は、少なくとも１つのプロセッサと共に、装置が接続要素のアドレスを個別に指定して、装置に取り付けられた少なくとも１つのセンサから計測値を取得できるよう構成されている。また、少なくとも１つのセンサは、センサ部分と、検出アンテナと、センサを装置に着脱可能に取り付けられるよう構成されるアタッチメント部分とを備える。
【００２６】
いくつかの例では、装置は、前述のような装置を含む場合がある。いくつかの例では、センサは、前述のようなセンサを含む場合がある。
【００２７】
本明細書の様々な、しかし必ずしも全てではない例によると、本発明による方法は、第１のセンサを装置から取り外することと、第１のセンサと第２のセンサとを取り替えることとを含み、ここで、この装置は、複数の接続アンテナと、少なくとも１つのセンサをこの装置に着脱可能に取り付けられるよう構成される複数のアタッチメント部分と、少なくとも１つのプロセッサと、コンピュータプログラム命令を含む少なくとも１つのメモリとを含む。ここで、少なくとも１つのメモリ及びコンピュータプログラム命令は、少なくとも１つのプロセッサと共に、装置が接続要素のアドレスを個別に指定して、装置に取り付けられた少なくとも１つのセンサから計測値を取得できるよう構成されている。また、このセンサは、センサ部分と、センサ用接続要素と、センサを装置に着脱可能に取り付けられるよう構成されるアタッチメント部分とを備える。
【００２８】
いくつかの例では、第１のセンサは、第２のセンサと異なるパラメータを検出するように構成される場合がある。
【００２９】
いくつかの例では、装置は、前述のような装置を含む場合がある。いくつかの例では、センサは、前述のようなセンサを含む場合がある。
【００３０】
装置は検出用である場合がある。装置はパラメータ検出用である場合がある。
【図面の簡単な説明】
【００３１】
簡単な説明を理解するために有用な種々の例の理解に資するべく、例として次の添付図面を参照する。
【図１】本明細書の例に従う装置を示す図を描いたものである。
【図２】本明細書の他の例に従う装置を示す図を描いたものである。
【図３】本明細書の例に従うセンサを示す図を描いたものである。
【図４】使用中の装置例を示す図を描いたものである。
【図５Ａ】センサの例のさらなる詳細を示す図を描いたものである。
【図５Ｂ】センサの例のさらなる詳細を示す図を描いたものである。
【図６】センサの等価回路及び装置を示す図を描いたものである。
【図７Ａ】本明細書の例に従うセンサの周波数応答を示す図を描いたものである。
【図７Ｂ】本明細書の例に従うセンサの周波数応答を示す図を描いたものである。
【図８】他の例に従う装置及び複数のセンサの概略を示した図を描いたものである。
【図９】本明細書の例に従う装置を含む通信システムを示す図を描いたものである。
【図１０】他の例に従う装置１の断面図を示す図を描いたものである。
【詳細説明】
【００３２】
図に示された装置１は、複数の接続要素７と、複数のセンサ２が装置１に着脱可能に取り付けられるよう構成されている複数のアタッチメント部分１３と、少なくとも１つのプロセッサ３と、コンピュータプログラム命令１１を含む少なくとも１つのメモリ５とを備える。ここで、少なくとも１つのメモリ５及びコンピュータプログラム命令１１は、少なくとも１つのプロセッサ３と共に、装置１が複数の接続要素７それぞれのアドレスを個別に指定して、装置１に取り付けられた複数のセンサ２の各々から測定値を取得できるよう構成されている。
【００３３】
図１は本明細書の例に従う装置１を示す図を描いたものである。後述する特徴のみが、図１において解説されている。しかし、装置１が、図示されていない付加的な特徴を含む場合があることは理解されるべきである。例えば、装置１は通信モジュールを含む場合があり、この通信モジュールは、装置１が他の装置と通信すること、または無線通信ネットワーク内で通信することを可能にすることができる。
【００３４】
例である図１の装置１は、複数の接続要素７及び複数のアタッチメント部分１３を含む。図１の例では、３つの接続要素７及び３つのアタッチメント部分１３が示されている。本明細書の様々な例において、あらゆる接続要素７及びアタッチメント部分１３を提供できることは明らかである。
【００３５】
アタッチメント部分13は、複数のセンサを装置１に取り付けられるようにする、いかなる手段も備えることができる。アタッチメント部分１３は、センサの対応部分に接続するように構成させることができる。複数のアタッチメント部分１３のそれぞれは、センサを装置１に取り付けられるようにすることができる。装置１のアタッチメント部分１３は、受け側のアタッチメント部分を備える場合がある。
【００３６】
受け側のアタッチメント部分13は、複数のセンサを装置１に着脱可能に取り付けられるように構成させることができる。第１のセンサがユーザによって装置１に取り付けられるように、センサは装置１への着脱可能な取り付けができる。さらに、ユーザは装置１から第１のセンサを取り外すことが可能であり、第１のセンサを第２のセンサに取り替えることが可能である。第２のセンサは、第１のセンサとは種類が異なる場合がある。
【００３７】
受け側のアタッチメント部分１３は、センサを接続要素７に極めて接近させて配置できるように構成させることが可能である。複数のアタッチメント部分１３は、センサ２を接続要素７に十分接近させて配置し、センサ２と接続要素７との間の近距離接続を可能にするように構成させることができる。
【００３８】
いくつかの例では、センサ２が装置１に取り付けられた際、センサ２と接続要素７との間の間隔が、センサ２と接続要素７の組み合わせそれぞれに関して同一となるように、受け側のアタッチメント部分１３とセンサ２とを構成することができる。上記により、複数の全く同一の接続要素７及び受け側のアタッチメント部分１３の組み合わせを作ることが可能となる。
【００３９】
いくつかの例では、受け側のアタッチメント部分13は、センサ以外のモジュールを装置１へ着脱可能に取り付けられるように構成させることができる。例えば、受け側のアタッチメント部分13は、発光素子または表示素子を装置１に着脱可能に取り付けできるように構成させることができる。
【００４０】
複数の接続要素７は、装置１によるデータ受信を可能にするあらゆる手段を含むことができる。例えば、接続要素７は１つまたは複数のアンテナを備える場合がある。接続要素７は、誘導コイル等の反応性の高い接続要素（reactive coupling element）を含む場合がある。この反応性の高い接続要素は、誘導素子または容量性素子である場合がある。接続要素７は、装置１に取り付けられたセンサから装置１がデータを受信することを可能にすることができる。いくつかの実施形態では、接続要素７は、無線通信リンク（近距離無線リンクその他あらゆる適用可能な通信リンク）を使用したデータ受信を可能にすることができる。いくつかの実施形態で  は、接続要素７がデータ送信を可能にすることがわかる。
【００４１】
図１に示された例では、接続要素７の数と受け側のアタッチメント部分１３の数とが等しい。上記によって複数のセンサ２を装置１に取り付けることができるため、センサ２のそれぞれが異なる接続要素７を用いて確立した通信リンクを有する。いくつかの例では、通信リンクは無線通信リンクである場合がある。その他の例では、有線リンクまたは直接的な電気的接続を使用可能である。
【００４２】
いくつかの例では、複数の接続要素７のそれぞれを同一とすることができる。複数の接続要素７のそれぞれは、同一の共振周波数を有する場合がある。複数の接続要素７のそれぞれは、対応するセンサ２を備える同一の接続要素を有するように構成させることができる。
【００４３】
図１の例示的な装置はまた、コントローラ４を含む。コントローラ４は、装置１を制御する手段を提供する。コントローラ４は、ハードウェア機能を実現する命令であって、例えば、汎用プロセッサまたは特定用途向けプロセッサで実行可能なコンピュータプログラム命令を用いて実装されてもよい。こうした命令は、前述のプロセッサで実行されるように、コンピュータ可読記憶媒体（ディスクやメモリ等）に格納されてもよい。コントローラ４は、プロセッサ３及び少なくとも１つのメモリ５を含むことができる。
【００４４】
プロセッサ3は、メモリ5から読み出し、かつメモリ５へ書き込むように構成される。プロセッサ3は出力インタフェースと入力インタフェースを備えてもよい。データおよび／または命令は、プロセッサ3によって出力インタフェースを介して出力され、入力インタフェースを介してプロセッサ3に入力される。
【００４５】
メモリ5は、コンピュータプログラム命令（コンピュータプログラムコード）であって、プロセッサ3にロードされるときに装置1の動作を制御する命令を含むコンピュータプログラム9を格納する。コンピュータプログラム９のうちのコンピュータプログラム命令１１は、装置１による下記の方法の実行を可能にするロジックとルーチンとを提供する。プロセッサ3は、メモリ5を読み取ることによりコンピュータプログラム9をロードして実行することが可能である。
【００４６】
したがって、装置１は、少なくとも１つのプロセッサ３、コンピュータプログラム命令１１を含む少なくとも１つのメモリ５を含む。ここで、少なくとも１つのメモリ５及びコンピュータプログラム命令１１は、少なくとも１つのプロセッサ３と共に、装置１が少なくとも、複数の接続要素７それぞれのアドレスを個別に指定して、装置１に取り付けられた複数のセンサ２の各々からの測定値の取得を可能にするよう構成されている。
【００４７】
コンピュータプログラム９は任意適当な配信メカニズム２１を介して装置１に提供されてもよい。配信メカニズム21は、例えば、非一時的なコンピュータ読取り可能記憶媒体23、コンピュータプログラム製品、メモリデバイス、記録媒体、例えば、コンパクトディスク・リードオンリーメモリ（ＣＤ−ＲＯＭ：ｃｏｍｐａｃｔ  ｄｉｓｃ  ｒｅａｄ−ｏｎｌｙ  ｍｅｍｏｒｙ）またはデジタル多用途ディスク（ＤＶＤ：ｄｉｇｉｔａｌ  ｖｅｒｓａｔｉｌｅ  ｄｉｓｃ）、コンピュータプログラム9を有形に具現した製造品を含むことができる。配信メカニズム21は、コンピュータプログラム9を確実に転送するように構成された信号を含むことができる。装置1は、コンピュータデータ信号としてコンピュータプログラム9を伝達または伝送してもよい。
【００４８】
図１の例において、メモリ５は単独要素として示されているが、一つ以上の別々の要素として実装されてもよい。こうした要素の一部または全部は組込み型／着脱可能型でもよく、および／または永久／半永久／動的／キャッシュの記憶方式でもよい。
【００４９】
図１の例において、プロセッサ３は単独要素として示されているが、一つ以上の別々の要素として実装されてもよい。こうした要素の一部または全部は組込み型／着脱可能型でもよい。
【００５０】
「コンピュータ可読記憶媒体」や「コンピュータプログラム製品」，「有形物として具現化されたコンピュータプログラム」等の用語や、「コントローラ」，「コンピュータ」，「プロセッサ」等の用語は、様々なアーキテクチャを有するコンピュータだけでなく、特殊回路も網羅するものと理解すべきである。こうしたコンピュータのアーキテクチャにはシングル／マルチプロセッサ・アーキテクチャや直列（ノイマン型）／並列アーキテクチャ等がある。特殊回路にはフィールドプログラマブルゲートアレイ（FPGA）や特定用途向け集積回路（ASIC），シグナルプロセッシングデバイス，その他の処理回路等がある。コンピュータプログラムや命令，コード等の用語は、プログラマブルプロセッサやファームウェア用のソフトウェアも網羅するものと理解すべきである。こうしたものとして例えば、プロセッサに対する命令や、固定機能デバイス，ゲートアレイ，プログラマブルロジックデバイス等の構成設定といったハードウェアデバイスのプログラマブルコンテンツ等がある。
なお本願において使用される「回路（circuitry）」との語句は、次の全てを表す：
【００５１】
（a）ハードウェアのみの回路実装（アナログおよび／またはデジタル回路のみの実装等）；
【００５２】
（b）回路とソフトウェア（および／またはファームウェア）の組合せ、例えば（適用可能である場合）：（i）一つまたは複数のプロセッサ、または（ii）一つまたは複数のプロセッサ／ソフトウェア（デジタルシグナルプロセッサを含む），ソフトウェア，一つまたは複数のメモリの一部（これらは協働して、携帯電話やサーバなどの装置に様々な機能を実行させる）；
【００５３】
（c）一つまたは複数のマイクロプロセッサやその一部等の回路であって、動作するためにソフトウェアやファームウェアを必要とする回路（ソフトウェアやファームウェアは物理的に存在しなくてもよい）。
【００５４】
この「回路」の定義は、本願において当該用語を使う全ての場合において適用される。特許請求の範囲においても同様である。さらなる例として、本願で使用される場合、「回路（circuitry）」という用語は、単独（または複数）のプロセッサだけの実装やプロセッサの一部，付随するソフトウェアおよび／またはファームウェアによる実装も網羅するものである。「回路」という用語はまた、例えば、特許請求の範囲に記載される特定の要素をその範囲に含むことが可能な場合がある。例えば、携帯電話のベースバンド集積回路やアプリケーションプロセッサ集積回路を意味してもよく、サーバやセルラネットワークデバイス、その他のネットワークデバイスにおける同様の集積回路を意味してもよい。
【００５５】
図１の例示的な装置はまた、筐体15を備える。複数の接続要素７及びコントローラ４は、筐体１５の内部に設けることが可能である。複数の受け側のアタッチメント部分１３は、筐体１５の表面に設けることが可能であり、これにより、センサ２を装置１に直接取り付けることができる。
【００５６】
複数の接続要素7は、筐体１５の表面に設けることが可能であり、これにより、センサ２を複数の接続要素7に極めて近接させて設けることができる。本明細書のいくつかの例では、筐体１５の表面と複数の接続要素７それぞれとの間の距離を同一にすることができる。
【００５７】
本明細書のいくつかの例では、筐体１５はユーザによる装置１の装着を可能にするよう構成することができる。例えば、筐体１５は装置１をユーザの身体の上に取り付けることを可能にすることができる。このような例では、筐体１５はベルトを備えることができ、このベルトはユーザの手首、その他身体部分に装着可能である。別の例では、筐体１５はランヤードを含むことができ、このランヤードは装置１をユーザの首周りに着用すること、その他の適用可能な手段とすることが可能である。
【００５８】
図２は本明細書の別の実施形態に従う装置１'を描いたものである。図２に示された装置１'は、チップまたはチップセットの場合がある。前述の通り、図１との関連で、装置１'は少なくとも１つのプロセッサ３'及び少なくとも１つのメモリ５'を含む。
【００５９】
図３は本明細書の例示的な実施形態に従うセンサ２を概略的に描いたものである。センサ２はセンサ部分３１、接続要素３３、アタッチメント部分３５を含む。
センサ部分３１は、あるパラメータを検知し、検知したパラメータを表す信号を提供するように構成される、あらゆる手段を含むことができる。検知したパラメータを表す信号は、接続要素３３に提供することができる。使用されるセンサ部分３１は、検知されるパラメータに依存する場合がある。様々なセンサ２を様々なパラメータを検知するように構成させることが可能である。そして、様々なセンサ２は、様々な種類のセンサ部分３１を有することができる。
【００６０】
いくつかの例において、センサ部分３１は少なくとも１つの可変抵抗器を備えることができ、ここで、この可変抵抗器は検知するパラメータによって変化する抵抗を有する。センサ部分３１は、少なくとも１つの可変抵抗センサを備えることができ、この可変抵抗センサは例えば、特定の化学分子、特定の生化学分子、入射光、湿度、気温、圧力、その他適応可能なパラメータの存在によって変化する可変抵抗器を有することができる。
【００６１】
いくつかの例において、センサ部分３１は少なくとも１つの容量性センサを含むことができ、ここで、この容量性センサは検知するパラメータによって変化するキャパシタンスを有する。センサ部分３１は、少なくとも１つの容量性センサを含むことができ、この容量性センサは例えば、特定の化学分子、特定の生化学分子、入射光、湿度、気温、圧力、その他適応可能なパラメータの存在によって変化するキャパシタンスを有することができる。
【００６２】
いくつかの例では、センサ部分３１は、可変抵抗器及び容量性センサの双方を含む場合がある。他の例では、例えば、弾性表面波（surface acoustic wave）、圧電構造、熱電対、その他適用可能な構造等、他の変換方法を使用することができる。
【００６３】
接続要素33は、センサ2によるデータ送信を可能にするあらゆる手段を含むことができる。接続要素33は、１つまたは複数のアンテナ、または反応性の高い接続要素を含むことができる。この反応性の高い接続要素は、誘導素子または容量性素子である場合がある。接続要素３３は、図１及び前述の装置の通り、センサ２による装置１へのデータ送信を可能にできる。いくつかの実施形態では、接続要素33は、無線通信リンク（例えば、近距離無線リンクその他あらゆる適用可能な通信リンク）を使用したデータ送信を可能にできる。別の例では、通信リンクは無線リンクまたは直接的な電気接続であってもよい。
【００６４】
アタッチメント部分35は、図１及び前述の装置１の通り、センサ２を装置１に着脱可能に取り付けできるように構成される。第１のセンサ２がユーザによって装置１に取り付けられるように、アタッチメント部分３５は、センサ２を装置１へ着脱可能に取り付られるよう構成させることができる。さらに、ユーザは装置１から第１のセンサ２を取り外し、第１のセンサ２を第２のセンサ２に取り替えることが可能である。第２のセンサ２は、第１のセンサ２とは種類が異なる場合がある。例えば、第１のセンサ２は、第１のパラメータを検知できるよう構成され、第２のセンサ２は、第１のパラメータとは異なる第２のパラメータを検知できるよう構成される。
【００６５】
アタッチメント部分35は、図１の装置の通り、センサ２を装置１に着脱可能に取り付けできるあらゆる手段を含むことができる。例えば、アタッチメント部分３５は接着部分を含むことができ、この接着部分を装置１の対応する受け側のアタッチメント部分１３に取り付け可能である。別の実施形態では、装置１の受け側のアタッチメント部分１３はスロットを備えることができ、センサ２のアタッチメント部分３５はこのスロットに合う大きさと形をした部分を備えることができる。別の例では、他のアタッチメント部分を使用可能であることがわかる。
【００６６】
いくつかの例では、受け側のアタッチメント部分35は、センサ２を装置１の接続要素７に極めて接近させて配置できるように構成される。
【００６７】
図４は使用中の装置１の例を示す図を描いたものである。図４では、複数のセンサ２が各アタッチメント部分１３、３５によって装置１に取り付けられる。いくつかの例では、ディスプレイ等の他のモジュールを装置１に取り付け可能なことがわかる。いくつかの例では、センサ2のそれぞれを互いに異なるものにすることができる。センサ２のそれぞれは、様々なパラメータを検知できるよう構成される。ユーザは、使用するセンサ２の種類を選択可能であり、これらセンサ２を装置１に取り付けることができる。これにより、ユーザは検出されたパラメータを選択することができる。
【００６８】
この例では、装置１はベルト４１を含み、このベルト４１はユーザの手首４３に巻き付けられる。ベルト４１は、ユーザの皮膚に近い位置で装置１を保持している。そのため、装置１に取り付けられた少なくとも１つのセンサ２のサブセットは、装置１のユーザの生理的状態に関連するパラメータを検出できる。別の実施形態では、ベルト４１はユーザの身体の様々な部位（胸部、その他適用可能な部位）に装置１を取り付けるために使用可能である。
【００６９】
この特定の例では、複数のアタッチメント部分１３がベルト４１の長さに沿って伸張し、その結果、センサ２がアタッチメント部分１３に取り付けられた場合、センサ２はベルト４１の長さに沿って伸張する。
【００７０】
図４の例では、ユーザは装置１に追加的なセンサ２を取り付けている。追加的なセンサ２は、キャリアカード（carrier card）５１上に設けられる。キャリアカード５１は平面またはほぼ平面な回路基板を備えることができ、センサ２が装置１に取り付けられる前に、この回路基板にセンサ２を取り付けることができる。キャリアカード５１は、センサ２が装置１に取り付けられる前にダメージからセンサ２を保護することができる。キャリアカード５１は、センサ２が運搬される間、センサ２を保護することができる。
【００７１】
いくつかの例では、キャリアカード５１はさらにセンサ２のための保護層を含む場合がある。この保護層は不浸透性の層を含み、この層はセンサ２のセンサ部分３１が、湿度等の環境パラメータ（environmental parameter）に晒されることを阻止することができる。この環境パラメータは、センサ２が装置１に取り付けられる前にセンサ２に影響を及ぼす可能性がある。
【００７２】
いくつかの例において、装置１はアライメント部分を含む場合がある。このアライメント部分はユーザがセンサ２を装置１上に平行配列することができるよう構成される。いくつかの例では、アライメント部分はセンサ２上及び装置１上に視覚的な指標を備える場合がある。ユーザは、装置１上の視覚的な指標を用いて、センサ２上の視覚的な指標を平行配列することにより、正確な位置及び幾何学的配置の中にセンサ２を配置することができる。別の例では、アライメント部分がセンサ２の外形を含む場合がある。例えば、センサ２は特定の幾何学的配置で装置１に唯一取り付け可能なように、成形させることができる。これにより、ユーザがセンサ２を装置１上に配置することが可能になり、その結果、装置１の接続要素７のそれぞれと、センサ２の接続要素３３との間の接続要素が同一になる。
【００７３】
いくつかの例において、センサ２は、検知されるパラメータの視覚的な指標を提供するように構成される部分を備えることも可能である。例えば、温度センサは温度変化に従って色が変化するように構成される部分を備えることが可能である。このような例では、視覚的な計器は、センサ２上に表示されるサーモクロミック材料のインクまたはポリマー、その他あらゆる適用可能な視覚的な計器を含むことができる。
【００７４】
センサ２は、接着部分を使用するキャリアカード５１に取り付け可能である。図４の例では、ユーザは、センサ２をキャリアカード５１から剥離することにより、キャリアカード５１からセンサ２を取り除く。このようにユーザは、センサ２の接着部分を使用することにより、センサ２を装置１の受け側のアタッチメント部分１３に着脱可能に取り付けることができる。
【００７５】
いくつかの例では、装置１の受け側のアタッチメント部分１３のそれぞれと、これに対応する接続要素７とは同一である。ユーザは、使用可能なアタッチメント部分１のいずれかにセンサ２を取り付けることができ、センサ２から取得した測定値は、選択された装置１のアタッチメント部分に依存しない。
【００７６】
図５Ａ及び図５Ｂは、センサ２をさらに詳しく描いたものである。
【００７７】
これら実施形態において、図３に関して上述したとおり、センサ２はセンサ部分３１、アンテナ３３、アタッチメント部分３５を備える。
【００７８】
センサ部分３１及び接続要素３３は、回路基板６３上に設けることができる。回路基板６３は柔軟性のある材料を含んでおり、この材料はセンサ２をキャリアカード５１から剥離したり、装置１に取り付けたりすることを可能にできる。回路基板６３はテレフタル酸ポリエチレン（ＰＥＴ）、ポリエチレンナフタレート（ＰＥＮ）、その他あらゆる適用可能な材料を含むことができる。
【００７９】
図５Ａ及び図５Ｂの例において、センサ部分３１は検出材料６５及び検出電極６７を備える。
【００８０】
検出材料６５は、特定のパラメーターを検知できるように構成されるあらゆる材料を含むことができる。例えば、検出材料６５は環境パラメータ、例えば、温度、光、湿度、生物学的分子、化学分子、その他のあらゆる適用可能なパラメータを感知できるように構成されるあらゆる材料を含むことができる。いくつかの実施形態では、検出材料６５によって検出されるパラメータには、装置１のユーザの生理的状態に関連するパラメータを含むことができる。例えば、環境パラメータには、生理学的特性（例えば、ユーザの皮膚の伝導性、ユーザの皮膚の温度、ユーザの皮膚の湿度、ユーザの脈拍数、その他皮膚または汗のpH等のあらゆる特性）に関するパラメータを含めることができる。使用される検出材料65は、検知されるパラメータに依存する場合がある。
【００８１】
センサ部分３１で使用される検出材料６５は、容量性変換（capacitive transduction）または抵抗変換(resistive transduction)の機構を備える場合がある。検出材料６５が容量性変換機構を備える場合、検出したパラメータの存在が、この検出材料６５の誘電率を変化させる場合がある。同様に、検出材料６５が抵抗変換機構を備える場合、検出したパラメータの存在が、この検出材料６５の抵抗率を変化させる場合がある。別の例では、他の変換機構を使用可能であることがわかる。
【００８２】
検出電極６７は、シルバーインク等の導電性インク、その他のあらゆる適用可能な材料を使用して形成可能である。図５Ａ及び図５Ｂの例では、検出電極６７が互いにかみ合う配置で設けられる。電極６７は、検出材料６５と並列配置することが可能である。
【００８３】
別の例では、電極と検出材料６５の様々な配置が用いられることがわかる。
図５Ａ及び図５Ｂの例では、接続要素３３は、センサ２が装置１の受け側のアタッチメント部分１３に取り付けられたとき、センサ２を装置１の接続要素７に誘導的に結合させることができるように構成される。接続要素３３は、センサ２と装置１の接続要素７との間の近距離結合を可能にするよう構成することができる。いくつかの例では、接続要素７はコイルを備えることができる。
【００８４】
センサ部分３１によるパラメータの検出が、接続要素３３の周波数応答を変化させるように、接続要素３３がセンサ部分３１に結合される。いくつかの例では、センサ部分３１のリアクタンスの変化が、接続要素３３の周波数応答を変化させるように、接続要素３３がセンサ部分３１に結合される。
【００８５】
図５Ａ及び図５Ｂの例において、アタッチメント部分35は接着層６１を備える。図５Ａ及び図５Ｂの特定の例では、接着層６１が回路基板６３の底面に設けられる。接着層６１は、センサ２が着脱可能に装置１に取り付けられることを可能にすることができる。接着層６１はさらに、センサ２がキャリアカード５１、例えば、図４に描いたカード等に取り付けられることを可能にすることができる。
図５Ａの例では、センサ部分３１は接続要素３３と並列に接続される。センサ部分３１のリアクタンスの変化は、接続要素７の共振周波数の変化、及び装置１の読み取り用接続要素（reader coupling element）７に提供される可能性のある応答の原因となる。
【００８６】
図５Ｂの例では、センサ２はマイクロチップ６９を備える。マイクロチップ６９は、センサ部分３１とアンテナ３３との間に接続することが可能である。マイクロチップ６９は、読み取り用接続要素７によって提供される領域（field ）からのエネルギーを吸収することにより、電力供給される場合がある。マイクロチップ６９は、センサ部分３１によって提供された信号がアンテナ３３に提供される前に、その信号をデジタル処理で符号化するように構成される。このような例では、アンテナ３３は、デジタル処理で符号化された信号をセンサ２から装置１に送信するように構成される。デジタル処理で符号化された信号は、検出されたパラメータのデータ表示を含む場合がある。いくつかの例では、デジタル処理で符号化されたデータはさらに、センサ２に関連する識別情報を含む場合がある。いくつかの例では、マイクロチップ６９は１つまたは複数のメモリを含む場合があり、このメモリは、キャリブレーションデータまたは閾値設定等の情報を保存するように構成させることができる。この情報は、センサ２の製造中にメモリに保存される場合がある。上記情報は、読み取り用接続要素７による読み取りが可能である。
【００８７】
センサ２は、ロール・ツー・ロール印刷（roll-to-roll printing）またはその他のあらゆる製造過程を用いて生産することができる。一旦、電極６７及び接続要素３３が印刷されると、検出材料６５を追加することができる。例えば、湿度センサは、電極上をコーティングする感湿性のポリマーを追加することによって実現可能であり、この電極は印刷された誘導性コイルと平行な位置関係にある。このようにして、センサ２を低コストかつ容易に製造することが可能になる。
【００８８】
図６は、前述のセンサ２の等価回路及び装置１を示す図を描いたものである。
【００８９】
装置１は信号生成器を備え、装置１の接続要素７によって送信される正弦波を生成する。
【００９０】
装置１の接続要素７は、センサ２のアンテナ３３に誘導結合される。センサ２のセンサ部分３１は、コンデンサＣsenseと並列な抵抗Ｒsense及びインダクタＬsenseを備える同調回路と等価である。チューニングコンデンサＣtune（tuning capacitor）が設けられてもよい。これは、調整されるべき全てのセンサ２が、製造段階で同一の共振周波数を有するようにするためである。チューニングコンデンサは、センサ２の共振周波数を装置１の共振周波数と合致させることを確実にする。
【００９１】
同調回路の構成要素のリアクタンスは、センサ部分３１によって検出されるパラメータに依存して変化する場合がある。センサ部分３１の構成要素のリアクタンスの変化は、センサ２の共振周波数における変化の要因となる。
【００９２】
装置１は正弦波電圧を生成する。いくつかの例では、生成された正弦波は単一周波数を有する場合がある。いくつかの例では、正弦波は周波数範囲を超えて提供される場合がある。
【００９３】
センサのアンテナ３３は、生成された正弦波を後方錯乱する。後方錯乱された信号における変調は、センサ２のリアクタンスに依存する。
【００９４】
それぞれのセンサ２は、製造段階で調整され、同一の共振周波数を有する。センサ部分３１がパラメータを検出した場合、このパラメータの検出がセンサ２のリアクタンスを変化させ、そしてセンサ２の共振周波数を変化させる。上記の検出及び変化が、後方錯乱された信号をもたらす。装置１のアンテナは、後方錯乱された信号における変化を検出するように構成される。
【００９５】
装置１は、後方錯乱された信号における変化を検出するように構成される。装置１は、後方錯乱された信号における変化に対する閾値を検出するように構成される。閾値は、センス部分３１によって検出されるパラメータの閾値に対応する。
【００９６】
図７Ａ及び図７Ｂは、本明細書の例にしたがう装置１の接続要素３３のインピーダンスの周波数応答を描いたものである。
【００９７】
図７Ａはセンサ２の抵抗の変化による周波数応答の変化を描いた図である。本例では、Ｒsenseの抵抗は１００KΩから１ＭΩまで変化する。
【００９８】
本例では、インダクタンスとリアクタンスが変化しないと、センサ２の共振周波数も変化しない。しかし、Ｒsenseが増加すると、センサ２の共振がより激しく減衰する。後方錯乱された信号の振幅は、センサ２の共振の減衰に依存する。センサ部分３１がパラメータが変更されたことを検出した場合、このパラメータ変更の検出によってＲsenseの値を変更する場合がある。このＲsenseの値の変更は、センサの共振の減衰を変更し、後方錯乱された信号の振幅を変更しようとする。その結果、読み取り機は異なる反応を示す。
【００９９】
図７Ｂはセンサ２のキャパシタンスの変化による周波数応答の変化を描いた図である。本例では、Ｃsenseのキャパシタンスは１pFから2pFまで変化する。
【０１００】
本例では、キャパシタンスを変化させることは、センサ２の共振周波数を変化させることである。キャパシタンスの変化は、付与された周波数に対して後方錯乱された信号の振幅を変化させ、読み取り用接続要素３３によって検出された応答を変化させる。
【０１０１】
測定値が周波数範囲を超えて取得される例は、センサ２からより多くの情報を取得することを可能にする場合がある。情報には、インピーダンスの大きさの他、実質的及び仮想的なインピーダンスの共振周波数及び反共振周波数が含まれる。上記の情報により、装置１を、特定のパラメータに対してより精度を高くすることが可能になる。
【０１０２】
図８は他の例に従う装置１及び複数のセンサ２の概略を示した図を描いたものである。この例では、装置１は４つの接続要素７を備えるように描かれており、４つの対応するセンサ２が提供される。
【０１０３】
図８のセンサ２は、図５Ａまたは図５Ｂに描かれたセンサ２でもよく、前述のとおり、センサ部分３１及び接続要素３３を備えている。
【０１０４】
各センサ２は、センサ２の接続要素３３が、装置１の対応するアンテナ７と位置合わせされるよう、配置される。複数の接続要素７のそれぞれは、同一とすることができる。受け側のアタッチメント部分１３は、アンテナ７とセンサ２との組み合わせそれぞれの間の接続要素が同一となるように、構成させることができる。
【０１０５】
いくつかの例では、接続要素は、２つの接続要素７及び３３の幾何学的配置に依存する場合がある。例えば、近距離通信が使用される例では、接続要素は、接続要素７及び３３の間の距離間隔、接続要素７及び３３のサイズ、及びそれらの相対的な幾何学的配置に依存する場合がある。接続要素の同一性を確保するため、装置１の接続要素７とセンサ２の接続要素３３との間の距離は、接続要素７及びセンサ２の組み合わせそれぞれについて同一である場合がある。接続要素７及び３３の相対的な幾何学的配置が、接続要素７及び３３の組み合わせそれぞれに関して同一であることを確保するよう、センサ２が正しく装置１に取り付けられることを確実にするため、装置１は視覚的な指標を備えることができる。上記により、取得される測定値が、同一の接続要素７いずれについても同じであるように、装置１の利用可能な受け側のアタッチメント部分１３のいずれについても、センサ２に取り付けるために使用可能とすることができる。
【０１０６】
アタッチメント部分13及び35は、複数のセンサ２を装置１の接続要素７に極めて接近させて配置できるように構成される。アタッチメント部分13及び35は、センサ２の接続要素３３と装置１の接続要素７との間の接続を最適化するため、複数のセンサ２を配置できるように構成される。上記により、少ない電力消費で小型の接続要素７を使用することができる。上記により、さらに、隣接または近接する接続要素７の間の干渉を軽減させることができる。
【０１０７】
図８に描かれた装置１は、さらに、アナログ・マルチプレクサ７１、アナログ・フロントエンド７３、コントローラ４、通信モジュール７５を備える。
アナログ・マルチプレクサ７１は、複数の接続要素７のそれぞれから取得した信号をアナログ・フロントエンド７３に提供するように構成される。アナログ・マルチプレクサ７１は、コントローラ４への入出力接続の数を低減する。
【０１０８】
アナログ・フロントエンド７３は、受信信号をデジタル信号に変換し、変換後の信号をコントローラ４に提供する。
【０１０９】
コントローラ４は、複数のアンテナ７それぞれを個別にアドレス指定して、検出されたパラメータを示すセンサ２のそれぞれから計測値を取得するように構成されている。コントローラ４は、前述のとおり、メモリ５に読み出し及び書き出しをするように構成することが可能である。
【０１１０】
いくつかの例では、コントローラ４は機能を実行するように構成される。この機能とは、例えば、センサ２の調整、センサ２から取得したデータを通信モジュールを用いて送信可能なデータに変換すること、センサ２から取得したデータを送信前に暗号化すること、その他のあらゆる適用可能な機能である。
【０１１１】
コントローラ４は、センサ２から取得したデータが閾値を超えた場合、そのデータを通信モジュール７５によって送信のみするように、装置１を制御するよう構成される。上記により、装置１の電力消費を低減させることができる。その他の例では、センサ２から取得したデータを所定の時間間隔で送信するように、装置１を制御するようコントローラ４を構成することが可能である。
【０１１２】
図８の例では、装置1はさらに通信モジュール75を備える。通信モジュール７５は、複数のセンサ２から取得した測定値を、装置１によって別の装置に提供できるように構成される。
【０１１３】
いくつかの例では、通信モジュール75はユーザによる装置１による無線ネットワーク内での通信を可能にするよう構成することができる。無線通信ネットワークは、Bluetooth（登録商標）ネットワーク、その他のあらゆるタイプの適用可能なネットワーク等、低電力の無線周波数ネットワークであってよい。
【０１１４】
図８の特定の例では、装置1は予備センサ７７及びユーザインターフェース７９を備える。
【０１１５】
いくつかの例では、複数の予備センサ７７を提供する場合がある。予備センサ７７は、装置１に恒久的に取り付けられるか、または、装置１のユーザが容易に取り外しできないように装置１に取り付けられる場合がある。予備センサ７７は、他のセンサ２が参照として使用可能なパラメータを検出するように構成することができる。例えば、予備センサ７７は、温度または湿度のようなパラメータを検出することができる。
【０１１６】
ユーザインターフェース79は、ユーザによる装置１への情報入力を可能にするいかなる手段も含むことができる。情報入力は、ユーザによる装置１の制御を可能にする場合がある。例えば、情報入力は、検出するパラメータの指定、パラメータの閾値の設定、その他のあらゆる適用可能な制御入力をすることをユーザができるようにすることが可能である。
【０１１７】
いくつかの例では、ユーザインターフェース７９は、ディスプレイまたは出力手段等のユーザに情報提供をする手段を備える場合がある。ユーザに提供される情報は、データの数値表示等のあらゆる適切な情報を含むことができる。このデータの数値表示は、装置１で入手可能な電力レベル等、センサ２によって取得されるもの、または装置１の状態に関する情報である。
【０１１８】
いくつかの例では、装置１は、ユーザによる電源のＯＮ／ＯＦＦの切り替えが可能なように構成することができる。例えば、装置１が身体的活動中のユーザの生理学的状態を監視するように構成されている場合、ユーザは、自身が活動開始するときに装置１の電源をＯＮにし、活動完了するときに装置１の電源をＯＦＦにすることができる。他の例では、装置１は、所定の間隔で、または移動等の外的要因に応答して、アクティブモードと非アクティブモードとの間を切り替え可能に構成することができる。
【０１１９】
図９には、前述の装置１を含む通信システム８１が描かれている。この例では、通信システム８１は、移動電話またはタブレットコンピュータ等の移動通信装置８３を含む。装置１の通信モジュール７５は、移動通信装置８３と通信するように構成することができる。装置１は、複数のセンサ２から移動通信装置８３に取得データを提供するように構成することができる。
【０１２０】
図９の例では、通信装置８３はネットワーク８５と通信するように構成することができる。通信装置83は、装置1からネットワーク85に受信データを送信するように構成することができる。ネットワーク８５は、例えば、クラウドネットワーク、インターネット、移動体通信ネットワーク、その他のあらゆる適用可能なネットワークとすることができる。
【０１２１】
図１０は他の例に従う装置１の断面図を示す図を描いたものである。本例では、装置１はベルト４１を含み、ベルト41は装置１をユーザの身体の上に取り付けることを可能にする。
【０１２２】
ベルト４１は、ベルト４１の両側にアタッチメント部分１３を備えることができ、その結果、センサ２はベルト４１の両側に取り付け可能である。ベルト４１の裏面に取り付けられたセンサ２は、装置１がユーザに取り付けられた際、ユーザの皮膚に隣接させて配置することが可能である。これらセンサ２は、生理学的状態に関するパラメータを検出するように構成することが可能である。ベルト43の外面にあるセンサ２は、装置１がユーザに取り付けられた際、ユーザの皮膚に接触しないであろう。外面にあるセンサ２は、環境パラメータ等の他のパラメータを検出するように構成することができる。
【０１２３】
前述の例は、種々のパラメータを検出可能とするように、ユーザによって構成される装置１を提供する。ユーザは、装置１にセンサ２を着脱可能に取り付けることができるため、ユーザはどのセンサ２をすべきか選択可能である。例えば、ユーザは異なるタイプの利用可能なセンサ２の範囲から、センサ２を購入及び選択することができるであろう。この例により、ユーザが装置１をカスタマイズすること、特定の目的のために装置１を最適化することが可能となるであろう。
【０１２４】
いくつかの例では、センサ２を使い捨てにすることができ、装置１のユーザが希望する場合または必要とする場合、いつでもセンサ２の交換が可能である。この例は、化学的センサまたは生物学的センサのように、経時劣化する可能性のあるセンサ２にとって特に有用である。
【０１２５】
本明細書において、「接続」との語句は、協働しうるように互いに接続されることを含む。また、「接続」には、様々な中間要素やその組合せを含む場合があり、また中間要素を含まない場合もある。
【０１２６】
本明細書中の「含む、備える（comprise）」という単語は、限定的な意味ではなく、非限定的な意味で使用される。したがって、「Ｙを含むＸ」に関してはすべて、「Ｘは１つのＹしか含むことができない」「複数のＹを含むことができる」の両方を意味する。限定的な意味を有する「含む、備える（comprise）」を意図する場合は、「〜を１つのみ含む」と言及することにより、文脈内で明確にするであろう。
【０１２７】
本発明の詳細な説明では、本発明の参考情報が様々な例として記載されている。例に関する特徴または機能の説明は、これらの特徴または機能が、その例に認められることを示す。本明細書中で「例（example）」「例えば（for example）」「〜できる、〜場合がある（may）」として明確に言及されている場合でも、明確に言及されていない場合でも、このような特徴及び機能が、少なくとも記載された例には存在することを意味する。すなわち、例として記載されている、記載されていないにかかわらず、これら特徴及び機能が、他のいくつかの例または全ての例に存在する可能性があり、また必ずしもそうではないことを意味する。このように、「例」「例えば」「〜できる、〜の場合がある」は、ある例示群における特定の例であることを指す。上記特定の例の特徴は、その例のみの特徴である場合、または上記例示群に属する一群の特徴である場合がある。ここで、この上記例示群に属する一群は、上記例示群に属する全例示ではなく、一部の例示を含む。
【０１２８】
前述の通り、本発明の様々な実施形態が様々な例と共に説明されてきたが、当然のこととして、特許請求の範囲にある本発明の範囲を逸脱することなく例の変形が可能である。例えば、図５において、検出材料３５は電極６７の上に設けられる。別の例では、検出材料６５は、接続要素３３の上に直接配置される場合がある。
【０１２９】
これまでに記述してきた事項は、明示的に記述された組合せだけでなく、それ以外の組合せで用いられてもよい。
【０１３０】
特定の事項を参照して種々の機能を記述してきたが、こうした機能は、記述の有無を問わずその他の事項によって遂行可能であってもよい。
【０１３１】
特定の実施形態を参照して種々の事項を記述してきたが、こうした事項は、記述の有無を問わずその他の実施形態で用いられてもよい。
【０１３２】
前述のように本明細書において、とりわけ重要であると考えられる本発明のこうした事項に注目するように努めてきた。しかし、前述した特許されうる全ての事項およびそれらの組合せに対して、参照された添付の図面にそうした事項が特段強調されていたかどうかにかかわらず、本出願人はその保護を求めるものである点を理解されたい。
【図１】
0006259461.tif 000002
【図２】
0006259461.tif 000003
【図３】
0006259461.tif 000004
【図４】
0006259461.tif 000005
【図５Ａ】
0006259461.tif 000006
【図５Ｂ】
0006259461.tif 000007
【図６】
0006259461.tif 000008
【図７Ａ】
0006259461.tif 000009
【図７Ｂ】
0006259461.tif 000010
【図８】
0006259461.tif 000011
【図９】
0006259461.tif 000012
【図１０】
0006259461.tif 000013